(57)【要約】　　　（修正有）【課題】使用者の意思に反したイジェクト動作を防ぎ、製品のトラブル防止することができ、操作性も向上すること。【解決手段】Ｃカバー１の開き動作を規制する手段を設け、この規制手段により規定される開き位置以上にＣカバーを開いたときにイジェクト動作が行われるようにする。【選択図】　　　　図１
2004013957.tif 000002
【特許請求の範囲】
【請求項１】
カセットテープ等の記録媒体に信号の記録再生を行う記録再生装置であって、装置本体に固定されたメインシャーシと、前記メインシャーシにスライド自在に支持されたスライドシャーシと、前記スライドシャーシの上に取り付けられ、記録媒体を保持するとともに、記録媒体を、装填位置と記録再生位置との間で移動させるカセットホルダーとから構成される記録再生デッキ部を備え、前記カセット装填位置においては、前記カセットホルダーが外部に露出するように開き、前記記録再生位置においては、製品外装と一体に閉じるように構成された蓋と、前記蓋の開き動作を検出する手段と、前記蓋の開閉動作を複数位置で規制する手段とを備え、前記蓋が開ききる位置の近傍に設定された前記規制手段による規制位置と規制位置の間において前記検出手段が開き動作を検出するように構成され、前記検出をもって、記録媒体の取り出し動作が行われることを特徴とする記録再生装置。
【請求項２】
前記請求項１において、蓋の開閉動作を規制する手段が、前記蓋と装置本体の間に形成されるヒンジ機構に形成されていることを特徴とする記録再生装置。
【請求項３】
カセットテープ等の記録媒体に信号の記録再生を行う記録再生装置であって、装置本体に固定されたメインシャーシと、前記メインシャーシにスライド自在に支持されたスライドシャーシと、前記スライドシャーシの上に取り付けられ、記録媒体を保持するとともに、記録媒体を、装填位置と記録再生位置との間で移動させるカセットホルダーとから構成される記録再生デッキ部を備え、前記カセット装填位置においては、前記カセットホルダーが外部に露出するように開き、前記記録再生位置においては、製品外装と一体に閉じるように構成された蓋と、前記蓋の開き動作を検出する手段と、前記蓋の開閉動作を途中から規制する手段とを備え、前記蓋が開ききる位置の近傍に設定された前記規制手段による規制範囲において前記検出手段が開き動作を検出するように構成され、前記検出をもって、記録媒体の取り出し動作が行われることを特徴とする記録再生装置。
【請求項４】
前記請求項３において、蓋の開閉動作を規制する手段が、前記蓋と装置本体の間に形成される弾性部材により構成されることを特徴とする記録再生装置。
【発明の詳細な説明】
【０００１】
【発明の属する技術分野】
本発明は、ビデオカメラ等の情報記録再生装置における情報記録媒体が装填されるホルダと該ホルダの蓋体の構造に関するものである。
【０００２】
【従来の技術】
近年、情報記録媒体が装填可能な情報記録再生装置として、カメラ一体型ＶＴＲをはじめ各種のものが広く普及、携帯にも便利なものが商品化されている。特にＤＶフォーマットは、カセット自体も小さいことから製品の小型化が進んでおり、魅力あるビデオカメラが製品化されている。以下、このようなビデオカメラのカセット着脱機構の従来の構成について説明する。
【０００３】
図１１は、カセットを記録媒体とするビデオカメラの構成を示す斜視図である。図１１において、１は外装に対し回動自在に取り付けられた蓋、２はカセット、３はスライドシャーシ、４はリンクを構成するレバー、５はカセットホルダー、６は蓋１に設けられたロックツメ、７はロック解除つまみ、８はカセットが覗けるように形成された透明窓、９はビデオカメラ本体、１０はアップバネ、１１はロックピン、１２は蓋１の回動軸、２６はレンズである。
【０００４】
図１１は、カセット２をビデオカメラに装填（取り出し）時の状態を示したものであり、カセット２は図中矢印の方向に沿って、カセットホルダー５に挿入される。カセットの挿入後、カセットホルダー５を下方に押し下げると、カセット２が本体内に収納される。そして、蓋１を閉じることによって、記録再生状態と至るのが大まかなカセット装填動作の流れである。
【０００５】
図１２から図１５は、このときの動作の様子をわかり易く示した図である。これらの図において、１３はスライドシャーシ３に設けられたカセットホルダー５のロック機構、１４は前記ロック機構の動作を検出するスイッチ、１５はメインシャーシ、２４はスライドシャーシ３を駆動する駆動機構、２５は記録再生ドラムである。
【０００６】
図１２において、カセットホルダー５はアーム４を介して、スライドシャーシ３に対し上下に移動可能に取り付けられており、付勢バネ１０によって常に上昇するように付勢されている。カセット２をカセットホルダーに挿入後、前記上昇力に抗してカセットホルダー５の上面を押し下げると、ロックピン１１がロック機構１３と契合することによってカセットホルダー５がスライドシャーシ３に対し所定の高さにロックされ、カセット２を正しい高さに保持する。このとき同時に、ロック機構１３の動作がスイッチ１４で検出される（図１３）。
【０００７】
カセットホルダー５のロックが検出されると、駆動機構２４によって、スライドシャーシ３がメインシャーシ１５に対し図中左方向に移動するとともに、カセット２からテープが引き出され、記録再生ドラム２５に巻きつけられ、テープデッキとしては記録再生が可能な状態となる（図１４）。
【０００８】
その後、蓋１を回転軸１２まわりに閉じると、蓋１に設けられたロックツメ６が本体９に設けられたフック部材９ｃと契合して蓋１が本体と一体にロックされ、製品として、記録再生する通常の形態となる。
【０００９】
次に、図１６〜図１８に、前記蓋１と本体９の取り付け部について示す。各図において、１６は蓋１を支持するヒンジアームＡ、１７はヒンジアームＢ、１８は蓋１の開閉を検出するスイッチ、１９はヒンジアームＡ及びヒンジアームＢを回動自在に連結する軸である。
【００１０】
図１６は、蓋１が開ききった状態を示したもので、前記図１１及び図１２のカセット着脱状態を示すものである。図１７は、蓋１が本体にロックした状態で、前記図１５の状態を示すものである。なお、前記図１１〜図１５においては、これらの構成は簡略化のため示していないが、ヒンジアームＡ及びヒンジアームＢは、図１１において、レンズ２６側の本体９とスライドシャーシ３の間に配置されている。
【００１１】
図１８は、ヒンジアームＡ１６とヒンジアームＡ１７の結合の状態を示したもので、両アームは軸１９によって回動自在に結合されるが、ヒンジアームＡ１６には、スリット状に加工されバネ性をもたせた部分に突起１６ａが形成され、ヒンジアームＢ１７には、穴１７ａ、１７ｂが形成されており、前記突起１６ａが穴に入り込むことによって、蓋１の動作にクリック感を与えるように構成されている。これらのクリック（嵌まり込み）発生位置としては、図１６に示す蓋１を開ききった位置、及び、図１７に示す閉じた位置に設定されている。即ち、図１６においては、突起１６ａが穴１７ａと、図１７においては、突起１６ａが穴１７ｂと嵌まる状態となっている。これにより、図１６の開いた位置においては、蓋１の自重で蓋１が閉じないようになり、カセット取り出し時の操作性を向上させている。また、図１７に示した閉じた位置でクリックを持たせることにより、蓋１の操作感を向上させている。
【００１２】
次に、カセット２の取り出し（イジェクト）動作について説明する。図１７及び図１５に示す記録再生状態から、図１１に示すロック解除つまみ７をスライドさせ、蓋１と本体９とのロックを解除し、蓋１を図１６に示した位置に開くと、蓋１と一体に回動するスイッチ操作部１ｂが、検出スイッチ１８を押し、蓋１が開いたことを検出する（図１４）。
【００１３】
検出スイッチ１８には、所定の動作ストロークが必要であることから、スイッチ操作部１ｂは、蓋１が開ききる以前に、スイッチがＯＮ（ＯＦＦ）に切り替わるような位置関係に設定されている。したがって、蓋１が開ききった、クリック設定位置（図１６）に至る途中で、スイッチによる蓋開きの検出が行われる。
【００１４】
蓋１が開いたことを検出すると、駆動機構２４によってスライドシャーシ３がアンロード方向（カセット装填とは逆の方向）に移動するとともに、カセット内にテープを巻取り、図１３の状態となる。
【００１５】
アンロードが完了すると、前記駆動手段によって、前記カセットホルダーロック機構１３が動作し、ロックピン１１とのロックを解除し、カセットホルダー５はバネ１０による付勢力によって、図１２のカセット取り出し位置へとポップアップする。
【００１６】
以上説明したような、スライドするデッキ（記録再生装置）と外装の蓋との構成は、デッキ部の外形にフィットした形状に蓋を設計でき、小型化に有利なこと、また、外装の蓋を開くという動作に連動してイジェクト動作が行われ操作性も良い事から、一般的に良く使用されている構成である。
【００１７】
【発明が解決しようとする課題】
しかしながら、上記従来例においては、前記蓋が開いたことを検出するタイミング、反応が不明確なため、イジェクトの意思がなく蓋を開いたときにも、アンロードが行われてしまうという問題があった。
【００１８】
近年特に、図１１に示したようなカセット窓８が、小型化やコストダウンで設けられないことが多く、本体内のカセットの有無を確認しようとしてちょっと蓋を開けた場合でも、イジェクト動作をしてしまうことがあった。このような場合、意思に反してイジェクトしてしまうという問題に加え、本能的に、慌てて蓋を閉めてしまったり、イジェクト動作が開始していることに気づかず蓋を閉めてしまうことが多く、蓋の内側にアンロードしてきたスライドシャーシが突き当り、動作エラーとなってしまうことがあった。図１９はそのような状態を示した図であり、状況によっては、蓋を人力で閉じる操作によりデッキ部に過大な負荷を与えてしまう可能性があった。
【００１９】
【課題を解決するための手段】
本発明は、上記問題点を解決するためになされたもので、上記蓋の開き動作に伴うイジェクト指令（蓋開きの検出）のタイミングを、使用者に明確に伝えることができるように、ヒンジアーム及び検出スイッチを構成したものである。
【００２０】
具体的には、前記、ヒンジアームのクリック位置を増やし、スイッチの検出タイミングと同期したポジションを形成したことにより、単純な蓋開け動作と、イジェクト指示とを明確に区別できるようにしたものである。
【００２１】
【発明の実施の形態】
（実施例）
図１〜図４に、本発明の第１の実施例を示す。各図において、２０は本発明によるヒンジアームＡ、２１はヒンジアームＢである。図１は蓋１を開ききった状態、図２は、これ以上蓋１を開くと検出スイッチ１８がＯＮ（ＯＦＦ）に切り替わる位置、図３は、蓋１を本体９に対しロックした記録再生状態である。
【００２２】
なお、図１〜図３においては、これらの構成は簡略化のため示していないが、ヒンジアームＡ及びヒンジアームＢは、図１１における、レンズ２６側の本体９とスライドシャーシ３の間に配置されている。
【００２３】
図４は、ヒンジアームＡ２０とヒンジアームＢ２１の結合の状態を示したもので、両アームは軸１９によって回動自在に結合されるが、ヒンジアームＡ２０には、スリット状に加工されバネ性をもたせた部分に突起２０ａが形成され、ヒンジアームＢ２１には、穴２１ａ、２１ｂ、２１ｃが形成されており、前記突起２０ａが穴に入り込むことによって、蓋１の動作にクリック感を与えるように構成されている。これらのクリック（嵌まり込み）発生位置としては、図１、図２、図３に示されている各状態となるように構成されている。即ち、図１においては、突起２０ａが穴２１ａと、図２においては、突起２０ａが穴２１ｂと、図３においては突起２０ａが穴２１ｃと嵌まる状態となっている。これにより、図１の開いた位置においては、蓋１の自重で蓋１が閉じないようになり、カセット取り出し時の操作性を向上させている。また、図１７に示した閉じた位置でクリックを持たせることにより、蓋１の操作感を向上させている。
【００２４】
図３の位置から、ロック手段６を解除して、蓋１を開いていくと、図２の位置において、クリック状態となり、操作感として一旦開き動作が止まるように構成されている。図２の状態では、まだ、蓋１のスイッチ操作部１ｂは検出スイッチ１８を検知位置まで押すことはなく、所定の余裕を持って止まるような位置関係になっている。
【００２５】
この位置でのクリック力（動作抑止力）に抗して、さらに蓋１を開くと、すぐにスイッチ操作部１ｂが検知スイッチ１８を検出位置まで押すことになり、蓋の開きが検出され、カセット２のイジェクト動作が開始される。
【００２６】
その後、図１の開ききった位置（カセット取り出し位置）まで蓋が開くと、再びクリックが発生し、蓋１を保持する。
【００２７】
上記クリック力は、実際の操作フィーリングを加味して、最適化が可能である。例えば、ヒンジアームに設ける穴のエッジにテーパーを付けるとか、穴の大きさを変化させるなどの方法により、クリック力、及びフィーリングを調整できる。もちろん、テーパーは、穴の片側だけにつけるなどの方法も可能である。
【００２８】
このように構成することで、使用者は、蓋１を開くときに、イジェクト指令を明確に認識した上で操作ができるようになる。使用者が、カセット２の有無の確認等のために、蓋１を開く場合であれば、前記図２のクリック位置までの範囲で開けば、意思に反してイジェクトが開始されるといった問題は起こらなくなる。次に、図５〜図７に第２の実施例を示す。各図において、２２は、本体９に固定された板バネ等の弾性部材である。
【００２９】
図７の記録再生状態から、蓋１のロックを解除して蓋を開いていくと、図６の位置となるが、この位置から、前記弾性部材がスイッチ操作部１ｂと当接し、蓋を閉じようとする力を発生する。図６の位置では、前記実施例と同様で、検出スイッチは検知位置まで動作しないようになっている。閉じようとする力に抗して、さらに蓋を開いていくと、スイッチがＯＮ（ＯＦＦ）になり、イジェクト動作が開始される。さらに、図５の位置まで開くと、前記実施と同様にクリック力が発生し、蓋を保持するように構成されている。このように、イジェクト指令検出位置の直前から、蓋開けに対する抗力（抵抗）が増えるように構成しても、本発明の効果は同様であり、イジェクトの指示をしたことを明確に使用者に伝えることができる。
【００３０】
図８〜図１０は、前記抗力が増すタイプの他の実施例である。これらの図において、２３は、本体９に設けられたバネかけ部９ｂに取り付けられたトーションバネである。トーションバネ２３は、バネかけ部９ｂに対し、チャージした状態で取り付けられている。この実施例でも、蓋開け時の動作は同様であるが、図９の位置に達したときの抗力の発生の仕方が、ステップ状になることから、より明確にスイッチ切り替わりの領域を伝えることができる。なお、前記板バネの場合でも、最初からチャージした状態で使用することが可能なことはいうまでも無い。
【００３１】
さらに、上記、抗力が増加する第２・第３の実施例に対し、第１の実施例である、クリックを組み合わせることも可能であり、より操作感の向上したビデオカメラを実現できる。
【００３２】
【発明の効果】
以上説明したように、蓋の開き動作に伴うイジェクト指令（蓋開きの検出）のタイミングを、使用者に明確に伝えることができるように、ヒンジアーム及び検出スイッチを構成することで、意思に反したイジェクト動作を防ぎ、製品のトラブルを防止することができる他、操作性も向上する効果がある。
【図面の簡単な説明】
【図１】本発明第一の実施例のカセット取り出し状態を示す図
【図２】本発明第一の実施例のイジェクト指令検出直前の状態を示す図
【図３】本発明第一の実施例の記録再生状態を示す図
【図４】本発明第一の実施例のヒンジ部を示す図
【図５】本発明第二の実施例のカセット取り出し状態を示す図
【図６】本発明第二の実施例のイジェクト指令検出直前の状態を示す図
【図７】本発明第二の実施例の記録再生状態を示す図
【図８】本発明第三の実施例のカセット取り出し状態を示す図
【図９】本発明第三の実施例のイジェクト指令検出直前の状態を示す図
【図１０】本発明第三の実施例の記録再生状態を示す図
【図１１】従来のビデオカメラの斜視図
【図１２】従来例のカセット取り出し状態を示す図
【図１３】従来例のカセットホルダーダウン状態を示す図
【図１４】従来例のローディング完了状態を示す図
【図１５】従来例の記録再生状態を示す図
【図１６】従来例のヒンジ周りを示す図（カセット取り出し位置）
【図１７】従来例のヒンジ周りを示す図（記録再生位置）
【図１８】従来例のヒンジの構成を示す図
【図１９】従来例の動作エラーを示す図
【符号の説明】
１　蓋
２　カセット
３　スライドシャーシ
４　アーム
５　カセットホルダー
６　ロックツメ
７　ロック解除つまみ
８　カセットのぞき窓
９　本体
１０　アップバネ
１１　ロックピン
１２　回転軸
１３　カセットホルダーロック機構
１４　検出スイッチ
１５　メインシャーシ
１６　ヒンジアームＡ
１７　ヒンジアームＢ
１８　検出スイッチ（イジェクト）
１９　軸
２０　ヒンジアームＡ（実施例）
２１　ヒンジアームＢ（実施例）
２２　弾性部材（板バネ）
２３　弾性部材（トーションバネ）
２４　駆動機構
２５　記録再生ドラム
【図１】
2004013957.tif 000003
【図２】
2004013957.tif 000004
【図３】
2004013957.tif 000005
【図４】
2004013957.tif 000006
【図５】
2004013957.tif 000007
【図６】
2004013957.tif 000008
【図７】
2004013957.tif 000009
【図８】
2004013957.tif 000010
【図９】
2004013957.tif 000011
【図１０】
2004013957.tif 000012
【図１１】
2004013957.tif 000013
【図１２】
2004013957.tif 000014
【図１３】
2004013957.tif 000015
【図１４】
2004013957.tif 000016
【図１５】
2004013957.tif 000017
【図１６】
2004013957.tif 000018
【図１７】
2004013957.tif 000019
【図１８】
2004013957.tif 000020
【図１９】
2004013957.tif 000021